(57)【要約】【課題】本発明は、磁極カバー部の根元部に突起を形成し、ステータ巻線の巻きこぼれを防止することを目的とする。【解決手段】本発明によるレゾルバ用ステータ構造は、各輪状絶縁カバー(3,4)の磁極(2)に対応した磁極カバー部(5)の根元部(10)には、突起(20)が設けられ、磁極(2)に巻回されたステータ巻線(6)は前記突起(20)と接して巻線範囲が規制される構成である。【選択図】図１
2008099519.tif 000002
【特許請求の範囲】
【請求項１】
所定角度間隔毎に内方へ突出する複数の磁極(2)を有する輪状ステータ(1)と、前記輪状ステータ(1)の両面に一体又は別体で設けられた一対の輪状絶縁カバー(3,4)と、前記各輪状絶縁カバー(3,4)を介して前記各磁極(2)に巻回されたステータ巻線(6)と、よりなるレゾルバ用ステータ構造において、
前記各輪状絶縁カバー(3,4)の前記磁極(2)に対応した磁極カバー部(5)の根元部(10)には、前記輪状ステータ(1)の半径方向の内方に向けて突出する突起(20)が形成されており、前記磁極(2)に巻回された前記ステータ巻線(6)は前記突起(20)に接して巻線範囲(S)が規制されていることを特徴とするレゾルバ用ステータ構造。
【請求項２】
前記突起(20)の内部には、空隙を有しないことを特徴とする請求項１記載のレゾルバ用ステータ構造。
【請求項３】
前記突起(20)の内部には、空隙(21)を有することを特徴とする請求項１記載のレゾルバ用ステータ構造。
【請求項４】
前記突起(20)の内面壁(22)は、前記輪状ステータ(1)の外周面(1a)に向けて傾斜するテーパ面(22a)で形成されていることを特徴とする請求項１記載のレゾルバ用ステータ構造。
【請求項５】
前記突起(20)は、前記各輪状絶縁カバー(3,4)の外周縁に形成された輪状壁(3a,4a)の内面に一体に形成されていることを特徴とする請求項１ないし４の何れかに記載のレゾルバ用ステータ構造。
【発明の詳細な説明】
【技術分野】
【０００１】
本発明は、ステータ構造に関し、特に、各輪状絶縁カバーの磁極カバー部の根元部に突起を形成し、輪状ステータの磁極に巻回するステータ巻線の巻線範囲を規制し、巻きこぼれを防止するための新規な改良に関する。
【背景技術】
【０００２】
従来、用いられていたこの種のステータ構造としては、例えば、特許文献１に開示された構成を挙げることができる。
すなわち、図９から図１１において符号１で示されるものは全体形状が輪状をなし所定角度間隔毎に内方へ突出する複数の磁極２を有する輪状ステータであり、この輪状ステータ１の両面にはモールド成形され一体（この場合はインサート成形）又は別体で形成された第１、第２輪状絶縁カバー３，４が設けられている。
【０００３】
前記各輪状絶縁カバー３，４には、前記各磁極２に対応し前記各磁極２の先端面のみを露出して他の部分を絶縁して覆うための磁極カバー部５が設けられ、各磁極２には前記各磁極カバー部５を介してステータ巻線６（励磁巻線と出力巻線からなる）が巻回されている。
【０００４】
前記各輪状絶縁カバー３，４のうち、一方の第１輪状絶縁カバー３の一端には、図９で示されるように、複数の端子７を有する端子板８が一体に形成され、各磁極２に巻回されたステータ巻線６の端線がからげられるように構成されている。
また、前記各輪状絶縁カバー３，４の外周縁には輪状壁３ａ，４ａが形成されている。
【０００５】
【特許文献１】米国特許第６０２８３８３号明細書
【発明の開示】
【発明が解決しようとする課題】
【０００６】
従来のステータ構造は、以上のように構成されているため、次のような課題が存在していた。
すなわち、各磁極に位置する各磁極カバー部は、外側の輪状壁までは平坦であるため、この各磁極に各磁極カバー部を介してステータ巻線を巻回すると、ステータ巻線の位置を規制することができず、巻線こぼれが発生し、整列巻き誤差が大きくなり、電気誤差の劣化やバラツキの増大となっていた。
【課題を解決するための手段】
【０００７】
本発明によるレゾルバ用ステータ構造は、所定角度間隔毎に内方へ突出する複数の磁極を有する輪状ステータと、前記輪状ステータの両面に一体又は別体で設けられた一対の輪状絶縁カバーと、前記各輪状絶縁カバーを介して前記各磁極に巻回されたステータ巻線と、よりなるレゾルバ用ステータ構造において、前記各輪状絶縁カバーの前記磁極に対応した磁極カバー部の根元部には、前記輪状ステータの半径方向の内方に向けて突出する突起が形成されており、前記磁極に巻回された前記ステータ巻線は前記突起に接して巻線範囲が規制されている構成であり、また、前記突起の内部には、空隙を有しない前記突起の内部には、空隙を有する構成であり、また、前記突起の内面壁は、前記輪状ステータの外周面に向けて傾斜するテーパ面で形成されている構成であり、また、前記突起は、前記各輪状絶縁カバーの外周縁に形成された輪状壁の内面に一体に形成されている構成である。
【発明を実施するための最良の形態】
【０００８】
本発明は、各輪状絶縁カバーの磁極カバー部の根元部に突起を形成し、輪状ステータの磁極に巻回するステータ巻線の巻線範囲を規制し、巻きこぼれを防止するようにしたステータ構造を提供することを目的とする。
【実施例】
【０００９】
以下、図面と共に本発明によるステータ構造の好適な実施の形態について説明する。
尚、従来例と同一又は同等部分には、同一符号を用いて説明する。
図１から図３において符号１で示されるものは全体形状が輪状をなし所定角度間隔毎に内方へ突出する複数の磁極２を有する輪状ステータであり、この輪状ステータ１の両面にモールド成形され一体(この場合はインサート成形)又は別体で形成された第１、第２輪状絶縁カバー３，４が設けられている。
【００１０】
前記各輪状絶縁カバー３，４には、前記各磁極２に対応し前記各磁極２の先端面のみを露出して他の部分を絶縁して覆うための磁極カバー部５が設けられ、各磁極２には前記各磁極カバー部５を介してステータ巻線６（励磁巻線と出力巻線からなる）が巻回されている。尚、このステータ巻線６は、一部のみ図示し、他は省略している。
【００１１】
前記各輪状絶縁カバー３，４のうち、一方の第１輪状絶縁カバー３の一端には、図１で示されるように、複数の端子７を有する端子板８が一体に形成され、各磁極２に巻回されたステータ巻線６の端線がからげられるように構成されている。
【００１２】
前記各輪状絶縁カバー部３，４の各磁極カバー部５の根元部１０には、図４から図６で示されるように、前記輪状ステータ１の半径方向の内方に向けて突出する突起２０が形成され、この突起２０は前記各輪状絶縁カバー３，４の外周縁に形成された輪状壁３ａ，４ａの内面３Ａ，４Ａと一体又は別体に形成されている。
【００１３】
前記突起２０は、図４の断面図で示されるように、内部に空隙を有しない中実の構造で形成されている場合と、図７のように空隙２１を有する場合を採用することができ、この突起２０の内面壁２２は前記輪状ステータ１の外周面１ａに向けて傾斜するテーパ面２２ａと輪状ステータ１の端面１ｂに向けて直交する直角面２２ｂで形成された構成を採用することができる。
【００１４】
次に、前記各磁極２には、前記各輪状絶縁カバー３，４を介してステータ巻線６を巻回すると、図６で示されるように、ステータ巻線６の手前側すなわち前記外周面１ａ側が前記突起２０の内面壁２２によって巻線範囲Ｓが規制され、従来、発生していた巻線こぼれを防止し、整列巻き誤差を小さくして電気誤差の劣化及びバラツキを減少させることができる。
【００１５】
尚、前記内面壁２２のテーパ面２２ａの半円弧面のＲは、例えば、下側がＲ１．７、上側がＲ１．２で形成され、テーパ面２２ａの場合には、ステータ巻線６の整列巻きが容易となる。
また、この突起２０は、平面的にみて半円弧面とした場合について述べたが、半円弧面以外の角等の形状の場合も同様の作用効果を得ることができる。
【図面の簡単な説明】
【００１６】
【図１】本発明によるレゾルバ用ステータ構造を示す平面図である。
【図２】図１のＡ−Ａ断面図である。
【図３】図１の裏面図である。
【図４】図２の要部の拡大図である。
【図５】図３のＢ部の拡大平面図である。
【図６】図５の巻線状態を示す平面図である。
【図７】図５の他の形態を示す要部の平面図である。
【図８】図４の他の形態を示す断面図である。
【図９】従来構成を示す平面図である。
【図１０】図９のＣ−Ｃ断面である。
【図１１】図９の裏面図である。
【符号の説明】
【００１７】
１    輪状ステータ
１ａ    外周面
２    磁極
３    第１輪状絶縁カバー
４    第２輪状絶縁カバー
３ａ，４ａ    輪状壁
３Ａ，４Ａ    内面
５    磁極カバー部
６    ステータ巻線
７    端子
８    端子板
１０    根元部
２０    突起
２１    空隙
２２    内面壁
２２ａ    テーパ面
２２ｂ    直角面
Ｓ    巻線範囲
【図１】
2008099519.tif 000003
【図２】
2008099519.tif 000004
【図３】
2008099519.tif 000005
【図４】
2008099519.tif 000006
【図５】
2008099519.tif 000007
【図６】
2008099519.tif 000008
【図７】
2008099519.tif 000009
【図８】
2008099519.tif 000010
【図９】
2008099519.tif 000011
【図１０】
2008099519.tif 000012
【図１１】
2008099519.tif 000013